【手続補正書】
【提出日】平成18年7月14日(2006.7.14)
【手続補正１】
【補正対象書類名】明細書
【補正対象項目名】発明の名称
【補正方法】変更
【補正の内容】
【発明の名称】盗難防止装置、及び監視装置
【手続補正２】
【補正対象書類名】明細書
【補正対象項目名】特許請求の範囲
【補正方法】変更
【補正の内容】
【特許請求の範囲】
【請求項１】  車両の盗難を防止するための盗難防止装置において、
前記車両の周辺を監視するための周辺監視手段から得られる情報に基づいて、
前記車両への接近物が存在するか否かを判断する第１の接近物判断手段と、
該第１の接近物判断手段により前記車両への接近物が存在すると判断された場
合、前記車両の周囲及び／又は前記車両内を監視するための周囲監視手段から得
られる情報に基づいて、前記車両への接近物が不審者であるか否かを判断する第
１の不審者判断手段と、
該第１の不審者判断手段により、前記車両への接近物が不審者であると判断さ
れた場合、第１の所定処理を行う第１の処理手段とを備えていることを特徴とす
る盗難防止装置。
【請求項２】  前記第１の不審者判断手段による判断結果と、前記車両に対
する盗難を検知する盗難検知手段から得られる情報とに基づいて、前記車両が盗
難状態に陥っているか否かを判断する第１の盗難状態判断手段と、
該第１の盗難状態判断手段により、前記車両が盗難状態に陥っていると判断さ
れた場合、第２の所定処理を行う第２の処理手段とを備えていることを特徴とす
る請求項１記載の盗難防止装置。
【請求項３】  車両の盗難を防止するための盗難防止装置において、
前記車両の周囲及び／又は前記車両内を監視するための周囲監視手段から得ら
れる情報に基づいて、前記車両への接近物が存在するか否かを判断する第２の接
近物判断手段と、
該第２の接近物判断手段により前記車両への接近物が存在すると判断された場
合、前記周囲監視手段による監視対象に前記接近物が人間である可能性の有無検
知を含めるようにする監視対象制御手段と、
前記第２の接近物判断手段による判断結果と、監視対象に前記接近物が人間で
ある可能性の有無検知が含められた前記周囲監視手段から得られる情報に基づい
て、前記接近物が不審者であるか否かを判断する第２の不審者判断手段と、
該第２の不審者判断手段により、前記車両への接近物が不審者であると判断さ
れた場合、第３の所定処理を行う第３の処理手段とを備えていることを特徴とす
る盗難防止装置。
【請求項４】  車両の盗難を防止するための盗難防止装置において、
前記車両が盗難状態に陥っているか否かを判断する第２の盗難状態判断手段と
、
該第２の盗難状態判断手段により、前記車両が盗難状態に陥っていると判断さ
れた場合、第４の所定処理を行う第４の処理手段とを備え、
前記第２の盗難状態判断手段が、前記車両の傾斜度合を検出するための傾斜検
出手段から得られる情報に基づいて、前記車両が盗難状態に陥っているか否かを
判断するものであることを特徴とする盗難防止装置。
【請求項５】  車両の盗難を防止するための盗難防止装置において、
前記車両が盗難状態に陥っているか否かを判断する第２の盗難状態判断手段と
、
該第２の盗難状態判断手段により、前記車両が盗難状態に陥っていると判断さ
れた場合、第４の所定処理を行う第４の処理手段とを備え、
前記第２の盗難状態判断手段が、前記車両にかかる衝撃度合を検出するための
衝撃検出手段から得られる情報に基づいて、前記車両が盗難状態に陥っているか
否かを判断するものであることを特徴とする盗難防止装置。
【請求項６】  車両の盗難を防止するための盗難防止装置において、
前記車両の使用権限者の生体に関する生体情報を記憶する生体情報記憶手段と
、
前記車両の使用希望者の生体に関する情報を取得するための生体情報取得手段
から得られる情報、及び前記生体情報記憶手段に記憶されている生体情報に基づ
いて、前記使用希望者が前記車両の使用権限者であるか否かを判断する使用権限
者判断手段と、
該使用権限者判断手段による判断結果に基づいて、第５の所定処理を行う第５
の処理手段とを備えていることを特徴とする盗難防止装置。
【請求項７】  前記車両の周囲及び／又は前記車両内を監視するための周囲
監視手段から得られる情報に基づいて、前記車両への接近物が存在するか否かを
判断する第３の接近物判断手段と、
該第３の接近物判断手段による判断結果に基づいて、生体認証に用いる機器の
作動を開始させる機器開始制御手段とを備えていることを特徴とする請求項６記
載の盗難防止装置。
【請求項８】  車両における異常の発生を検知するために前記車両を監視す
る監視装置において、
前記車両の周辺を監視するための周辺監視手段から得られる情報に基づいて、
前記車両への接近物が存在するか否かを判断する第４の接近物判断手段と、
該第４の接近物判断手段による判断結果に基づいて、前記車両の周辺を画像撮
影する撮影手段による撮影を開始させる撮影開始制御手段とを備えていることを
特徴とする監視装置。
【請求項９】  前記接近物が他車両であるか否かを判断する他車両判断手段
を備え、
該他車両判断手段により、前記接近物が他車両であると判断された場合、前記
撮影開始制御手段が、前記撮影手段による撮影を開始させるものであることを特
徴とする請求項８記載の監視装置。
【請求項１０】  前記周辺監視手段から得られる情報、及び／又は前記撮影
手段により撮影された画像データから得られる情報に基づいて、前記接近物の前
記車両への接近状況を求める第１の接近状況算出手段と、
該第１の接近状況算出手段により求められる前記接近物の前記車両への接近状
況に基づいて、前記撮影手段による撮影頻度を制御する撮影頻度制御手段とを備
えていることを特徴とする請求項８又は請求項９記載の監視装置。
【請求項１１】  車両における異常の発生を検知するために前記車両を監視
する監視装置において、
前記車両の周辺を監視するための周辺監視手段から得られる情報に基づいて、
前記車両への接近物の接近状況を求める第２の接近状況算出手段と、
該第２の接近状況算出手段により求められる前記接近物の前記車両への接近状
況に基づいて、前記周辺監視手段による監視頻度を制御する監視頻度制御手段と
を備えていることを特徴とする監視装置。
【請求項１２】  車両における異常の発生を検知するために前記車両を監視
する監視装置において、
前記車両への接近物の危険度を算出する危険度算出手段と、
前記車両への接近物が複数存在する場合、前記危険度算出手段により算出され
た危険度に基づいて、危険度の高い接近物を優先して監視するように周辺監視手
段を制御する監視優先制御手段とを備えていることを特徴とする監視装置。
【手続補正３】
【補正対象書類名】明細書
【補正対象項目名】０００１
【補正方法】変更
【補正の内容】
【０００１】
【発明の属する技術分野】
本発明は盗難防止装置、及び監視装置に関し、より詳細には、車両盗難の防止
を図るための盗難防止装置、及び車両を監視するための監視装置に関する。
【手続補正４】
【補正対象書類名】明細書
【補正対象項目名】００１１
【補正方法】変更
【補正の内容】
【００１１】
本発明は上記課題に鑑みなされた発明であって、車両への不法侵入者の検出精
度を高めることのできる盗難防止装置、より防犯性の高い盗難防止装置、及び車
両を適切に監視することのできる監視装置を提供することを目的としている。
【手続補正５】
【補正対象書類名】明細書
【補正対象項目名】００９５
【補正方法】変更
【補正の内容】
【００９５】
【発明の実施の形態】
以下、本発明に係る盗難防止装置、及び監視装置の実施の形態を図面に基づい
て説明する。